(57)【要約】      （修正有）【課題】簡易な構造にもかかわらず、荷物の盗難が困難な受取ボックスを提供する。【解決手段】受取ボックス１０は、筐体１２と、筐体１２に設けられ、差出人が開閉し、前板１４ａを備える引き出し１４と、筐体１２に設けられ、受取人が開閉する扉１８を備えている。引き出し１４の内部には、荷台が設けられている。荷台は、台部１６ａと、台部１６ａの下に設けられた支持部材１６ｂを備えている。台部１６ａは、支持部材１６ｂより前板１４ａ側の第一台部材１６ｃと、第一台部材１６ｃと反対側の第二台部材１６ｄを備えている。荷台に荷物Ｂが置かれると、第一台部材１６ｃが上昇するとともに、第二台部材１６ｄが下降する。荷台に荷物Ｂが置かれた状態で引き出し１４が閉じられると、引き出し１４が筐体１２にロックされる。【選択図】図４
0003212994.tif 000002
【実用新案登録請求の範囲】
【請求項１】
筐体と、
前記筐体に設けられ、差出人が開閉し、前板を備える引き出しと、
前記引き出しの内部に設けられた荷台と、
前記筐体に設けられ、受取人が開閉する扉と、
を有し、
前記荷台が、台部と、前記台部の下に設けられた回動軸を備え、
前記台部が、前記回動軸より前記前板側の第一台部材と、前記第一台部材と反対側の第二台部材とを備え、
前記台部に荷物が置かれると、前記第一台部材が上昇するとともに、前記第二台部材が下降し、
前記台部に荷物が置かれた状態で前記引き出しが閉じられると、前記引き出しが前記筐体にロックされる受取ボックス。
【請求項２】
請求項１において
前記第二台部材の底面に下方向の突起部が設けられ、
前記筐体が、前記突起部を収容する収容部を備え、
前記突起部が前記収容部に収容されることで、前記引き出しが前記筐体にロックされる受取ボックス。
【請求項３】
請求項１または２において
前記第一台部材の底面に重りが設けられている受取ボックス。
【請求項４】
請求項１から３のいずれかにおいて、
受取人によって前記扉が施錠および開錠できる受取ボックス。
【請求項５】
請求項１から４のいずれかにおいて、
前記筐体、前記引き出し、および前記扉が、発泡スチロール層と、前記発泡スチロール層の少なくとも一部を覆う被覆層を備えている受取ボックス。
【考案の詳細な説明】
【技術分野】
【０００１】
本考案は、宅配荷物の受け渡しのための宅配ボックス等として使用できる受取ボックスに関するものである。
【背景技術】
【０００２】
受取人の不在時に、宅配業者が配達した荷物を収納する宅配ボックスが知られている。宅配業者は、宅配ボックスに荷物を収納したら、荷物を収納したことを受取人に通知する。通知を受けた受取人は、帰宅後、パスワードの入力等によって宅配ボックスの扉を開けて、荷物を受け取る。このように、従来の宅配ボックスは、複雑な機構を備えており、例えば停電のときにはパスワードが入力できないことがあった。
【考案の概要】
【考案が解決しようとする課題】
【０００３】
本考案はこのような事情に鑑みてなされたものであり、簡易な構造にもかかわらず、収納された荷物を受取人以外の者が取り出せない受取ボックスを提供することを目的とする。
【課題を解決するための手段】
【０００４】
本考案の受取ボックスは、筐体と、筐体に設けられ、差出人が開閉し、前板を備える引き出しと、引き出しの内部に設けられた荷台と、筐体に設けられ、受取人が開閉する扉とを有し、荷台が、台部と、台部の下に設けられた回動軸を備え、台部が、回動軸より前板側の第一台部材と、第一台部材と反対側の第二台部材とを備え、台部に荷物が置かれると、第一台部材が上昇するとともに、第二台部材が下降し、台部に荷物が置かれた状態で引き出しが閉じられると、引き出しが筐体にロックされる。
【考案の効果】
【０００５】
本考案によれば、簡易な構造で、荷物の盗難が困難な受取ボックスが得られる。
【図面の簡単な説明】
【０００６】
【図１】荷物が入っていない引き出しが閉じているときの受取ボックスの断面模式図。
【図２】荷物が入っていない引き出しが開いているときの受取ボックスの断面模式図。
【図３】荷物が入っている引き出しが開いているときの受取ボックスの断面模式図。
【図４】荷物が入っている引き出しが閉じているときの受取ボックスの断面模式図。
【考案を実施するための形態】
【０００７】
以下、本考案の受取ボックスについて、図面を参照しながら実施形態に基づいて説明する。なお、図面は、受取ボックス、受取ボックスを構成する部材、および受取ボックスの周辺部材を模式的に表したものであり、これらの実物の寸法および寸法比は、図面上の寸法および寸法比と必ずしも一致していない。また、特にことわらない限り、本明細書では便宜上、図１に示す受取ボックスの向きを基準に、「上」および「下」などの方向を表す。重複説明は適宜省略し、同一部材には同一符号を付与することがある。
【０００８】
本考案の実施形態に係る受取ボックス１０は、郵便受け、近隣住民からの頂き物入れ、または宅配業者が配達した荷物を収納する宅配ボックスなどとして使用できる。受取ボックス１０は、直方体の箱状物体で、筐体１２と、引き出し１４と、荷台１６と、扉１８を備えている。なお、受取ボックス１０は、円柱や多角柱などの柱体、円錐や多角錐などの錐体、または錐体台等の箱状物体であってもよい。
【０００９】
図１は、荷物が入っていない引き出し１４が閉じているときの受取ボックス１０の鉛直断面を示している。図２は、荷物が入っていない引き出し１４が開いているときの受取ボックス１０の鉛直断面を示している。筐体１２は、中空の直方体状の部材で、引き出し１４と扉１８が設けられる部分が開口している。筐体１２は底部１２ａを備えている。引き出し１４は、筐体１２の内部に設けられ、差出人が開閉する。
【００１０】
なお、差出人とは、差出人本人のほか、差出人の家族や代理人、郵便業者、または宅配業者等の差出人の立場と同等の個人や団体などを指す。引き出し１４は、前板１４ａと、一対の側板１４ｂと、底板１４ｃと、先板１４ｄを備えている。前板１４ａは筐体１２の開口をふさいでいる。引き出し１４が開閉しやすいように、前板１４ａには、つまみ、取っ手、指先をかける窪み等の引手（不図示）が設けられている。
【００１１】
引き出し１４の軽量化と材料削減のため、本実施形態では、側板１４ｂの高さが前板１４ａの高さより小さい。もちろん、側板１４ｂの高さが前板１４ａの高さとほぼ同じであってもよい。また、後述するように、荷物は、引き出し１４の先板１４ｄ側から取り出される。このため、荷物が取り出しやすいように、先板１４ｄの高さは前板１４ａの高さより小さい。なお、本実施形態では、先板１４ｄの高さが側板１４ｂの高さと同じであるが、先板１４ｄの高さが側板１４ｂの高さより小さくてもよいし、先板１４ｄ自体がなくてもよい。
【００１２】
引き出し１４の内部には荷台１６が設けられている。本実施形態では、底板１４ｃの上に荷台１６が設けられている。なお、引き出し１４に底板１４ｃがなく、荷台１６が側板１４ｂに支持されていてもよい。荷台１６は、荷物が置かれる板状の台部１６ａと、台部１６ａの下に設けられた支持部材１６ｂを備えている。台部１６ａと回動軸である支持部材１６ｂとでシーソーを構成している。
【００１３】
台部１６ａは、支持部材１６ｂより前板１４ａ側の第一台部材１６ｃと、第一台部材１６ｃと反対側の第二台部材１６ｄを備えている。荷物が置ければ、台部１６ａは板状でなく、網状、カゴ状、または格子状等であってもよい。受取ボックス１０では、台部１６ａに荷物が置かれると、第一台部材１６ｃが上昇するとともに、第二台部材１６ｄが下降する。台部１６ａに荷物が置かれた状態で引き出し１４が閉じられると、引き出し１４が筐体１２にロックされる。引き出し１４が筐体１２にロックされる仕組みは後述する。本実施形態では、第二台部材１６ｄの底面に下方向の円柱状の突起部Ｐが２つ設けられている。また、底部１２ａの上面には、突起部Ｐより大きい円柱状の孔部Ｈが設けられている。底板１４ｃには、突起部Ｐが通過する穴部Ｔが設けられている。
【００１４】
筐体１２には、一対の筐体側レール２０が設けられている。側板１４ｂには、一対の筐体側レール２０に装着される一対の引き出し側レール（不図示）が設けられている。図２に示すように、前板１４ａを引くと、引き出し側レールが筐体側レール２０に沿って動き、引き出し１４が開く。筐体側レール２０と引き出し側レールの間には、公知のストッパー機構（不図示）が設けられており、引き出し１４が筐体１２から脱落するのを防いでいる。なお、引き出し１４を筐体１２から引き抜くときには、このストッパー機構を解除すればよい。
【００１５】
扉１８は、筐体１２の側面に設けられ、受取人が開閉する。受取人とは、受取人本人のほか、受取人の家族や代理人、または受取人が団体である場合の団体構成員等の受取人の立場と同等の個人や団体等などを指す。扉１８は、筐体１２との間で錠機構（不図示）が設けられており、受取人によって施錠および開錠できる。差出人によって受取ボックス１０に入れられた荷物は、受取人が扉１８を開けて取り出す。本実施形態では、筐体１２の引き出し１４の前板１４ａに対向する側面に扉１８が設けられているが、扉１８が引き出し１４に隣接する筐体１２の側面に設けられていてもよいし、筐体１２の側面ではなく、筐体１２の上面に設けられていてもよい。また、扉１８は、筐体１２の側面と上面に渡って設けられていてもよい。
【００１６】
筐体１２、引き出し１４、および扉１８は、発泡スチロール層と、発泡スチロール層の少なくとも一部を覆う被覆層を備えている。本実施形態では、このように受取ボックス１０の外部に現れる主な部材が断熱性を備えている。このため、受取ボックス１０に収納された荷物が外気温の影響を受けにくい。したがって、例えば、真夏に電子部品等が受取ボックス１０に収納されたときでも、電子部品等が故障しにくい。また、近隣住民が収穫した農産物を受取ボックス１０に収納したときでも、農産物が傷みにくい。なお、筐体１２、引き出し１４、および扉１８は、金属、木材、樹脂、またはコンクリート等から構成されていてもよい。
【００１７】
図２から図４を参照しながら、受取ボックス１０の引き出し１４を開けて、引き出し１４内に荷物Ｂを入れ、引き出し１４を閉じる動作について説明する。図３は、荷物Ｂが入っている引き出し１４が開いているときの受取ボックス１０の鉛直断面を示している。図４は、荷物Ｂが入っている引き出し１４が閉じているときの受取ボックス１０の鉛直断面を示している。まず、図２に示すように、差出人が引き出し１４を開ける。荷台１６に荷物Ｂが置かれていないので、第一台部材１６ｃの底面に設けられた重りＧによって、第一台部材１６ｃが下がっており、第二台部材１６ｄが上がっている。
【００１８】
つぎに、差出人が引き出し１４内の荷台１６に荷物Ｂを置くと、図３に示すように、荷物Ｂの自重によって第二台部材１６ｄが下降するとともに、第一台部材１６ｃが上昇する。換言すると、台部１６ａに荷物Ｂが置かれたときに、第二台部材１６ｄが下降し、第一台部材１６ｃが上昇するように、荷台１６が構成されている。第一台部材１６ｃおよび第二台部材１６ｄの材質や形状等、ならびに支持部材１６ｂの位置等の適切な選択などによって、このような荷台１６が構成できる。また、受取ボックス１０内に荷物Ｂが収納されたときに第二台部材１６ｄが確実に下降するように、荷物Ｂの設置領域や設置中心位置等を示す表示を、第二台部材１６ｄの上面に設けてもよい。
【００１９】
台部１６ａに荷物Ｂが置かれて第二台部材１６ｄが下降すると、突起部Ｐが穴部Ｔを通過して底部１２ａに接触する。そして、荷物Ｂが入っている引き出し１４を差出人が閉めると、突起部Ｐが底部１２ａに接触しながら移動して、図４に示すように、突起部Ｐが孔部Ｈに収容される。突起部Ｐが孔部Ｈに収容されると、荷物Ｂが取り出せるようには引き出し１４が開かなくなる、すなわち、引き出し１４が筐体１２にロックされる。このため、受取ボックス１０内の荷物Ｂの盗難が困難となる。なお、突起部Ｐが孔部Ｈに収容されて引き出し１４が筐体１２にロックされるのであれば、突起部Ｐ、穴部Ｔ、および孔部Ｈの形状、材質、ならびに個数等は特に制限がない。例えば、突起部Ｐ、穴部Ｔ、および孔部Ｈは、直方体形状を備えていてもよい。
【００２０】
また、このような簡易な構造で引き出し１４が筐体１２にロックされるので、例えば、宅配業者が受取人にパスワードを通知する必要がない。最後に、受取人は扉１８を開けて荷物Ｂを取り出す。受取人が荷物Ｂを取り出すと、第一台部材１６ｃに設けられた重りＧによって、第二台部材１６ｄが上昇し、第一台部材１６ｃが下降する。受取人が扉１８を閉めると、図１に示すように、差出人が引き出し１４を開けて荷物を入れられる状態に戻る。受取ボックス１０を複数個積層し、必要に応じて一体化して使用してもよい。このとき、複数の受取ボックス１０で１枚の扉１８を共用してもよい。
【符号の説明】
【００２１】
１０      受取ボックス
１２      筐体
１２ａ  底部
１４      引き出し
１４ａ  前板
１４ｂ  側板
１４ｃ  先板
１４ｄ  底板
１６      荷台
１６ａ  台部
１６ｂ  支持部材
１６ｃ  第一台部材
１６ｄ  第二台部材
１８      扉
２０      筐体側レール
Ｂ        荷物
Ｇ        重り
Ｈ        孔部
Ｐ        突起部
Ｔ        穴部
【図１】
0003212994.tif 000003
【図２】
0003212994.tif 000004
【図３】
0003212994.tif 000005
【図４】
0003212994.tif 000006